(57)【要約】【課題】      沈下状態の調節が簡単にでき、重量調整用重りを取り付ける作業が容易に行える餌木を提供すること。【解決手段】  餌木１の餌木本体２の前端側の下側に第１重り６を突設すると共に、餌木本体２に重り取り付け孔８ａ、８ｂ、８ｃを設け、この重り取り付け孔８ａ、８ｂ、８ｃに第１重り６より重量の小さい第２重り７を着脱自在に取り付ける。この重り取り付け孔８ａ、８ｂ、８ｃは、少なくとも餌木本体２の第１重り６の取り付け部から重心Ｇの間に設ける。第２重り７は、少なくともその一部が餌木本体２から突出するように取り付け、この突出した部分を摘んで第２重り７の着脱ができる。【選択図】        図３
2005087156.tif 000002
【特許請求の範囲】
【請求項１】
本体の前端側の下側に第１重りを突設すると共に、前記本体に重り取り付け孔を設け、該重り取り付け孔に前記第１重りより重量の小さい第２重りを着脱自在に取り付けたことを特徴とする餌木。
【請求項２】
少なくとも重り取り付け孔は、本体の第１重りの取り付け部から重心の間に設けたことを特徴とする請求項１記載の餌木。
【請求項３】
第２重りは、少なくともその一部が餌木本体から突出するように取り付けたことを特徴とする請求項１または２記載の餌木。
【請求項４】
第２重りは、重り取り付け孔に螺着して取り付けたことを特徴とする請求項１乃至３記載の餌木。
【請求項５】
第２重りは、重り取り付け孔に嵌合して取り付けたことを特徴とする請求項１乃至３記載の餌木。
【請求項６】
重り取り付け孔は、本体を貫通して形成され、第２重りは、前記重り取り付け孔の両側から挿通して互いに接合して取り付けたことを特徴とする請求項１乃至３記載の餌木。
【請求項７】
第２重りは、重り取り付け孔に収納し、前記重り取り付け孔を該重り取り付け孔の開口に着脱可能な蓋体で閉塞したことを特徴とする請求項１または２記載の餌木。
【発明の詳細な説明】
【技術分野】
【０００１】
本発明は、主としてイカ釣りに用いる餌木の改良に関する。
【背景技術】
【０００２】
イカは、海中で動く小魚やエビ類を主に捕食するが、特に海中をゆっくり沈下していく餌によく抱きつく習性がある。
そこで、従来、アオリイカ釣り等は、この習性を利用して餌木を用いたイカ釣りが広く行われている。
餌木は、エビや魚に似せて本体を合成樹脂や木材で形成して、その前端と後端に、夫々、釣り糸止着部と針を取り付けると共に、その前端側（頭部側）の下側（腹部）に餌木を水中に沈めるための重りが突設されている。
【０００３】
そして、餌木を用いたアオリイカの釣法は、釣り糸に取り付けた餌木を水中にキャストした後、釣り竿を操って餌木を海面方向へしゃくり上げては再び沈下させる等の動作を繰り返していくのが一般的で、既述したように餌木はその前端側（頭部側）の下側（腹部）に餌木を水中に沈めるための重りが突設されているため、釣り糸を引かない状態で前側を斜め下方に向けて沈下し、釣り糸を引くことで前側を上方に向けさせることができる。
【０００４】
このため、上述のごとく餌木を海中にキャストした後、釣り竿を操って餌木を海面方向にしゃくり上げては再び沈下させる動作を繰り返せば、餌木が海中で上下にジグザグに動いてイカを誘うこととなるが、餌木にイカを抱きつかせるためには、この時の餌木の沈下角度と沈下速度が大きく関わっている。
そして、特許文献１には、本体の前端側（頭部側）の下側（腹部）に突設された餌木を水中に沈めるための重りを着脱自在に取り付けられるようにして、異なる重さの重りを取り付けることで重さを容易に変更できるようにした餌木が開示されている。
【特許文献１】特開平１１−１２７７３１号
【発明の開示】
【発明が解決しようとする課題】
【０００５】
しかしながら、特許文献１に開示された餌木のように本体の前端側（頭部側）の下側（腹部）に突設された重りは、本体の前端側に偏って取り付けられているため、この重りの重量を変えると、餌木の沈下速度と沈下角度が大きく変わりやすいため餌木の沈下状態の調節が難しく、また、本体の前端側の下側に突設された重りに重量調整用重りを取り付ける細かい作業は煩わしいのが実情であった。
【０００６】
本発明は、斯かる実情に鑑み案出されたもので、餌木の沈下状態の調節が簡単にでき、重量調整用重りを取り付ける作業が容易に行える餌木を提供することを目的とする。
【課題を解決するための手段】
【０００７】
本発明の請求項１は、本体の前端側の下側に第１重りを突設すると共に、前記本体に重り取り付け孔を設け、該重り取り付け孔に前記第１重りより重量の小さい第２重りを着脱自在に取り付けたことを要旨とするものである。
本発明の請求項２は、少なくとも重り取り付け孔は、本体の第１重りの取り付け部から重心の間に設けたことを要旨とするものである。
本発明の請求項３は、第２重りは、少なくともその一部が餌木本体から突出するように取り付けたことを要旨とするものである。
本発明の請求項４は、第２重りは、重り取り付け孔に螺着して取り付けたことを要旨とするものである。
本発明の請求項５は、第２重りは、重り取り付け孔に嵌合して取り付けたことを要旨とするものである。
本発明の請求項６は、重り取り付け孔は、本体を貫通して形成され、第２重りは、前記重り取り付け孔の両側から挿通して互いに接合して取り付けたことを要旨とするものである。
本発明の請求項７は、第２重りは、重り取り付け孔に収納し、前記重り取り付け孔を該重り取り付け孔の開口に着脱可能な蓋体で閉塞したことを要旨とするものである。
【発明の効果】
【０００８】
請求項１の本発明により、重りの着脱が容易になり、餌木の重量調節が簡単にできる。
請求項２の本発明により、餌木の沈下状態の調節が簡単にできる。
請求項３の本発明により、本体から突出した部分を摘んで重りの取り外しを容易に行うことができる。
請求項４から７の本発明により、重りの着脱が容易に行え、また、重りの脱落が防止される。
【発明を実施するための最良の形態】
【０００９】
餌木１は、餌木本体２の前端側の下側に第１重り６を突設すると共に、餌木本体２に重り取り付け孔８ａ、８ｂ、８ｃを設け、この重り取り付け孔８ａ、８ｂ、８ｃに第１重り６より重量の小さい第２重り７を着脱自在に取り付ける。
この重り取り付け孔８ａ、８ｂ、８ｃは、少なくとも餌木本体２の第１重り６の取り付け部２ａから重心Ｇの間に設ける。
第２重り７は、少なくともその一部が餌木本体２から突出するように取り付け、この突出した部分を摘んで第２重り７の着脱ができる。
【実施例１】
【００１０】
以下、図示の実施例によって本発明を説明すると、図１から図３は第１実施例で、図１は餌木の正面図、図２は餌木の前端側の横断面図、図３は餌木の正面断面図である。
【００１１】
餌木１は、エビや魚等の生き物に似せた餌木本体２を有し、この餌木本体２の先端に設けた釣り糸等の仕掛け止着部３を取り付け、餌木本体２の後端に針４が取り付けられ、餌木本体２の左右側面に羽毛を取り付けてひれ部５が形成されている。
餌木本体２は、木材や合成樹脂で形成され、例えば、バルサ材や、比重１以下の合成樹脂材や、合成樹脂の発泡材で形成したり、また、中空部を有する合成樹脂の外殻体で形成することもでき、餌木本体２は、（重りを除いた状態で）水に浮くように形成されている。
【００１２】
餌木本体２の前端側の下側には、餌木本体２の下側に突出するように第１重り６が取り付けられている。
第１重り６は、餌木本体２に設けた重りの内で最も重量が大きく、水に浮くように形成された餌木本体２は、この第１重り６が取り付けられて水に対し沈下するようになっている。
また、第１重り６は、板状に形成され、その左右両面が餌木本体２の左右側面方向を向くように餌木本体２に固定される。
このように、餌木本体２に第１重り６が取り付けられると第１重り６の左右両面が水の抵抗面となって舵のように作用し、餌木１の泳動中の姿勢を安定させることができる。
【００１３】
餌木本体２の第１重り６より後側の下側には重り取り付け孔８ａ、８ｂ、８ｃが前後方向に並んで設けられ、これらは、餌木本体２の下側に開口し、餌木本体２の上側に向かって延設され、その奥部は行き止まりを有する孔である。
重り取り付け孔８ａは、餌木本体２の第１重り６の取り付け部２ａと餌木１の重心Ｇの間に設けられており、重り取り付け孔８ｂは、餌木本体２の重心Ｇの位置に設け、重り取り付け孔８ｃは、餌木本体２の重心Ｇよりも後側に設けられている。
【００１４】
重り取り付け孔８ａ、８ｂ、８ｃは、第２重り７が着脱自在に嵌合されるようになっており、その内側に軟質なゴムや合成樹脂の表面層８ｉを有し、嵌合した重りの保持性を良好にしている。
第２重り７は、第１重りより重量が小さく、軸部７ａとこれより太径の頭部７ｂを有し、軸部７ａを重り取り付け孔８ａ、８ｂ、８ｃに選択的に嵌合して取り付けることができ、第２重りの軸部７ａは、重り取り付け孔８ａ、８ｂ、８ｃの内側の表面層８ｉに保持されて重り取り付け孔８ａ、８ｂ、８ｃからの脱落が防止されている。
重り取り付け孔８ａ、８ｂ、８ｃに嵌合した第２重り７の頭部７ｂは餌木本体２の外方へ突出し、頭部７ｂを摘んで容易に第２重り７の着脱ができるようになっている。
【００１５】
図３は、第２重り７が重り取り付け孔８ａに嵌合した状態であり、重り取り付け孔８ｂ、８ｃには、その開口にそれぞれ蓋体９、９が取り付けられ、開口を閉塞している。
尚、重心Ｇは、餌木１に第２重りを取り付けていない状態におけるものであり、重心Ｇは餌木本体２の前後方向の中央側の餌木本体２の下側が下方へ膨出した部分、より詳しくは、第１重り６の取り付け位置から餌木本体２の前後方向の中央の間に設ける。
この状態で水中に投入された餌木１は、図９のように、釣り竿を煽って釣り糸Ｌを引き上げると、前方を上方にして餌木１が浮き上がり、そのまま釣り糸Ｌをたるませると餌木１自身がその重さで前端側からゆっくり斜め下方向に向かって沈下するようになっており、この沈下時にイカが抱きつき針に掛かることが多い。
【００１６】
つまり、第２重り７を重り取り付け孔８ａに嵌合した餌木１は、第２重り７を有しない餌木１よりも先端を下方へ向けて（沈下角度を大きくして）速く沈下する。
ただし、第１重り６に直接重りを付加した場合よりも重心Ｇに近い位置に第２重り７を付加しているため、餌木１の沈下角度と速さが急激に変わらないため調節しやすい。
また、第２重り７は、第１重り６より軽いことも餌木１の沈下角度と速さが急激に変わらないように作用し、調節しやすくしている。
このため、水深が深い釣り場やイカが活発に餌木を追う時に効果が上がる。
また、第２重り７を重心Ｇが位置する重り取り付け孔８ｂに嵌合すると餌木１の沈下角度を変えずに沈下速度を速くすることができる。
さらに、第２重り７を重心Ｇより後端側の重り取り付け孔８ｂに嵌合すると餌木１の沈下角度小さくすることができイカの追いがあまり積極的でない時にもイカを抱きつかせることができる。
【００１７】
前記のように餌木が構成されると、釣り場の状態や狙う獲物の状態によって重量を調節したり、沈下角度を変えたりして餌木の動きを調節することができるため、釣り人はこの沈下状態を調節することで釣果を増やすことができる。
尚、第２重り７は、重り取り付け孔８ａに嵌合したが、他の重り取り付け孔８ｂ、８ｃに取り付けてもよく、また、これら３つの重り取り付け孔の２つ又は３つに第２重り７を設けてもよい。
また、重り取り付け孔は３つ設けたがさらに増やしてもよいし、重り取り付け孔８ａだけ設でもよい。
【実施例２】
【００１８】
図４は第２実施例で、餌木の正面断面図である。
【００１９】
第２実施例では、第２重り１０がビスで形成されており、その軸部１０ａには螺旋が形成され、一方、餌木本体２の重り取り付け孔１０ａ、１０ｂ、１０ｃ内にも、それぞれ第２重り１０の軸部１０ａが螺合する螺旋が形成されている。
図４において、第２重り１０は、重り取り付け孔１０ａに螺合したが、他の重り取り付け孔に取り付けてもよく、また重りを設けていない重り取り付け孔１０ｂ、１０ｃの開口は蓋体１２，１２で閉塞している。
第２重り１０は、頭部１０ｂを摘んで重り取り付け孔１０ａ、１０ｂ、１０ｃに着脱できる。
他の構成は前記第１実施例と略同一である。
【実施例３】
【００２０】
図５は第３実施例で餌木の正面図、図６は餌木の平面断面図である。
【００２１】
第３実施例では、餌木本体２の第１重りと重心Ｇの間および重心Ｇより後側にそれぞれ重り取り付け孔１４ａ、１４ｂが設けられ、これら取り付け孔１４ａ、１４ｂは、餌木本体２の左右に貫通して形成されている。
これら重り取り付け孔１４ａ、１４ｂの開口には蓋体１５が取り付けられており、蓋体１５は軸部１５ｂとこの軸部１５ｂに形成した凹部１５ａを有し、重り取り付け孔１４ａ、１４ｂに差し込まれた棒状の第２重り１３の両端部が蓋体１５の凹部１５ａ嵌合されて左右の開口に取り付けた一対の蓋体１５で狭持され、重り取り付け孔１４ａ、１４ｂ内に保持される。
【００２２】
図６において、第２重り１３は、重り取り付け孔１４ａに取り付けたが、開口に着脱自在に嵌合した蓋体１５を外して重り取り付け孔１４ｂに付け替えることができる。
第３実施例では、第２重り１３を餌木本体２の左右方向に配しており、第２重り１３を第１重り６よりも左右に長く形成しているので泳動時の餌木１の姿勢が安定する。
他の構成は前記第１実施例と略同一である。
【実施例４】
【００２３】
図７は第４実施例で、図７は餌木の平面断面図である。
【００２４】
第４実施例では、餌木本体２の第１重りの取り付け部２ａと重心Ｇの間および重心Ｇより後端側にそれぞれ重り取り付け孔１７ａ、１７ｂが設けられ、これら重り取り付け孔１７ａ、１７ｂは、餌木本体２の左右に貫通してそれぞれ餌木本体２の左右に開口が形成されている。
重り取り付け孔１７ａ、１７ｂには、螺旋が形成された軸部１６ａを有するビス状の第２重り１６の前記軸部１６ａが一方の開口から差し込まれ、他方の開口から軸部１８ａに設けた凹部１８ｂ内に螺旋を有する袋ナット状の蓋体１８を差し込んで互いに重り取り付け孔１７ａ、１７ｂ内で螺合して餌木本体２に着脱自在に取り付けることができる。
第２重り１６は重り取り付け孔１７ａ、１７ｂのいずれにも取り付けることができるが、図７のように、第２重り１６を取り付けない重り取り付け孔１７ｂの左右の開口は、蓋体１８を差し込んで閉塞しておく。
他の構成は前記第１実施例と略同一である。
【実施例５】
【００２５】
図８は第５実施例で、図８は餌木の平面断面図である。
【００２６】
第５実施例では、餌木本体２の第１重り取り付け部２ａと重心Ｇの間および重心Ｇより後端側にそれぞれ重り取り付け孔２０ａ、２０ｂが設けられ、これら重り取り付け孔２０ａ、２０ｂは、餌木本体２の左右に貫通してそれぞれ餌木本体２の左右に開口が形成されている。
重り取り付け孔２０ａ、２０ｂには、棒状の第２重り１９が圧入して嵌合可能であり、この第２重り１９は重り取り付け孔２０ａ、２０ｂより長く形成されており、重り取り付け孔２０ａ、２０ｂに差し込んだ時、その端部（一端又は両端）が餌木本体２の外方へ突出する。
したがって、第２重り１９は、その端部を摘んで餌木本体２の重り取り付け孔２０ａ、２０ｂへの着脱ができる。
しかも、第２重り１９を第１重り６よりも左右に長く形成しているので泳動時の餌木１の姿勢が安定する。
他の構成は前記第１実施例と略同一である。
【産業上の利用可能性】
【００２７】
本発明は、主としてイカ釣りに用いる餌木の改良に関するが、イカ釣り以外のあらゆる釣りに用いることができる。
【図面の簡単な説明】
【００２８】
【図１】第１実施例で、餌木の正面図である。
【図２】同餌木の前端側の横断面図である。
【図３】同餌木の正面断面図である。
【図４】第２実施例で、餌木の正面断面図である。
【図５】第３実施例で、餌木の正面図である。
【図６】同餌木の平面断面図である。
【図７】第４実施例で、餌木の平面断面図である。
【図８】第５実施例で、餌木の平面断面図である。
【図９】餌木の泳動を説明する図である。
【符号の説明】
【００２９】
１  餌木
２  餌木本体
６  第１重り
７、１０、１３、１６、１９  第２重り
８ａ、８ｂ、８ｃ、１１ａ、１１ｂ、１１ｃ、１４ａ、１４ｂ、１７ａ、１７ｂ、
２０ａ、２０ｂ  重り取り付け孔
Ｇ  重心
【図１】
2005087156.tif 000003
【図２】
2005087156.tif 000004
【図３】
2005087156.tif 000005
【図４】
2005087156.tif 000006
【図５】
2005087156.tif 000007
【図６】
2005087156.tif 000008
【図７】
2005087156.tif 000009
【図８】
2005087156.tif 000010
【図９】
2005087156.tif 000011